(57)【特許請求の範囲】
【請求項１】
第１応答要求と第２応答要求とを送信する監視ユニットと、
自ユニット以外のトランスポンダユニットから、前記第１応答要求に対する第１応答を受信し、前記受信した第１応答を前記監視ユニットに送信する第１トランスポンダユニットと、
前記第１トランスポンダユニットから、前記第２応答要求に対する第２応答を受信し、前記受信した第２応答を前記監視ユニットに送信する第２トランスポンダユニットと、
を含む複数のトランスポンダユニットと、
任意のトランスポンダユニット間で通信可能なメッシュ回線網と、
を備え、
前記第１応答は、前記第２応答より優先度が高い応答であって、
前記第１トランスポンダユニットは、前記監視ユニットから、前記第１応答要求を受信すると、前記第１応答を前記監視ユニットに送信し、前記監視ユニットから前記第２応答要求を受信すると、前記メッシュ回線網を介して、前記第２トランスポンダユニットに前記第２応答を転送する、
ことを特徴とする光伝送装置。
【請求項２】
前記第１応答のデータ容量より、前記第２応答のデータ容量のほうが大きい、
ことを特徴とする請求項１記載の光伝送装置。
【請求項３】
前記第１トランスポンダユニット以外のトランスポンダユニットは、
前記監視ユニットから前記第２応答要求を受信すると、前記第２応答を、前記監視ユニットに送信する、
ことを特徴とする請求項１又は２に記載の光伝送装置。
【請求項４】
前記第１トランスポンダユニットと前記第２トランスポンダユニットは、前記複数のトランスポンダユニットの中から予め設定されたトランスポンダユニットであって、
通信可能なトランスポンダユニットの数が変化すると、前記第１トランスポンダユニットと前記第２トランスポンダユニットのそれぞれを、前記複数のトランスポンダユニットの中から再設定する、
ことを特徴とする請求項１〜３の何れか一つに記載の光伝送装置。
【請求項５】
前記複数のトランスポンダユニットは、
前記第２トランスポンダユニットから第３応答を受信し、前記受信した前記第３応答を前記監視ユニットに送信する第３トランスポンダユニットを含み、
第３応答要求に対する前記第３応答は、前記第２応答より優先度が低く、
前記監視ユニットは、前記第３応答要求を送信し、
前記第２トランスポンダユニットは、前記第３応答要求を前記監視ユニットから受信すると、前記メッシュ回線網を介して、前記第３応答を前記第３トランスポンダユニットに転送し、
前記第３トランスポンダユニットは、前記第３応答を前記監視ユニットに送信する、
ことを特徴とする請求項１〜４の何れか一つに記載の光伝送装置。
【請求項６】
第１応答要求と第２応答要求とを送信する監視ユニットと、第１トランスポンダユニットと第２トランスポンダユニットとを含む複数のトランスポンダユニットと、任意のトランスポンダユニット間で通信可能なメッシュ回線網と、を備えた光伝送装置の管理方法であって、
前記第１応答要求に対する第１応答は、前記第２応答要求に対する第２応答より、優先度が高く、
前記複数のトランスポンダユニットの内、前記第１トランスポンダユニット以外のトランスポンダユニットが、前記第１応答要求を受信すると、前記メッシュ回線網を介して、前記第１トランスポンダユニットに前記第１応答を転送し、
前記転送された第１応答を、前記第１トランスポンダユニットから、前記監視ユニットに送信し、
前記第１トランスポンダユニットが前記第１応答要求を受信すると、前記第１応答を、前記第１トランスポンダユニットから、前記管理ユニットに送信し、
前記第１トランスポンダユニットから前記第２トランスポンダユニットに、前記メッシュ回線網を介して、前記第２応答を転送し、
前記転送された第２応答を、前記第２トランスポンダユニットから、前記監視ユニットに送信する、
ことを特徴とする光伝送装置の管理方法。 
【発明の詳細な説明】
【技術分野】
【０００１】
本発明は、光信号をトランスポンダにかけて多重化する光伝送装置およびその管理方法に関し、特に光伝送装置内の監視ユニットとトランスポンダユニット間の通信制御に関するものである。
【背景技術】
【０００２】
従来、光信号をトランスポンダにかけて多重化する光伝送装置（WDM: Wavelength Division Multiplexing）では、トランスポンダユニットの動作を監視する監視ユニットを設けて装置の制御を行なってきた。
【０００３】
具体的には、監視ユニットは、ユーザの操作を受けて直接に、またはＮＭＳ(Network Management System)等を通して間接的に、光伝送装置へ設定要求(Provisioning)や制御命令(Control)を指示する。
【０００４】
また、光伝送装置は、各ユニットで発生した警報(Condition)やＰＭ(Performance)等の情報収集をユーザへ通知する。監視ユニットと各トランスポンダユニット間はそれぞれインタフェースを具備しており、監視ユニットは、そのインタフェースを用いて、ユーザからの指示をトランスポンダユニットへ転送することはもちろん、トランスポンダユニットと情報の送受信を行なう。
【０００５】
例えば、ユーザからの設定要求(Provisioning)や制御命令(Control)を監視ユニットが受信すると、監視ユニットは、対象トランスポンダユニットへその要求／命令を通知する。対象トランスポンダユニットは要求／命令された処理を完了後、監視ユニットへ要求応答/命令応答を返し、監視ユニットは、ユーザへ処理結果を通知する。
【０００６】
同様に警報やＰＭの情報収集は、定期的に監視ユニットが各トランスポンダユニットへ情報収集要求を通知する。各トランスポンダユニットは、これを受けて情報を収集し、監視ユニットへ通知する。そして、監視ユニットは、必要に応じてユーザへ情報収集結果を通知する。
【０００７】
しかし、近年、ユーザからの設定要求や制御命令に対する迅速な応答が求められている。また、情報収集する対象の増加や、項目の増加などで収集量が増える傾向にある。特に任意のトランスポンダユニット間で直接通信するメッシュ構成が可能なユニットは、自ユニット以外の情報もそれぞれ収集し、監視ユニットへ通知する場合もあることから収集量が膨大になる。
【０００８】
そのため、情報収集処理が終わらず、ユーザからの設定要求や制御命令の処理が遅延する場合が発生していた。これはユニット枚数が多いほど遅延が多くなるため、複数枚以上での運用が前提であるメッシュ構成が可能なユニットにおいては、非常に大きな遅延が発生する。
【０００９】
そこで従来、特許文献１が開示するように中央監視システムを用意し、予め中央監視システムが情報を収集しておくことで、集中監視装置のデータ収集の時間を短くするという方式が用いられてきた。
【００１０】
【特許文献１】特開平０６−１６４５２３号公報
【発明の開示】
【発明が解決しようとする課題】
【００１１】
しかし、上述した従来技術では集中監視装置と中央監視システム間のデータ収集時間は短縮されるが、ＮＥ（Network Equipment）と中央監視システム間のデータ収集時間は短縮されない。また、上述の従来技術は複数のＮＥのネットワークを対象としているため、集中監視装置とＮＥ間の間に中央監視システムを配置可能であるが、監視ユニットとトランスポンダユニット間の場合には、情報収集専用のシステムを配置すると、余分なスペースが必要となるという問題点があった。
【００１２】
すなわち、依然としてメッシュ構成で複数トランスポンダユニットを常時実装するような場合には、監視ユニットがトランスポンダユニットからの情報を収集する時間が長くなり、優先度の低い情報収集処理のために、優先度の高いユーザの要求や命令の実行が遅延するという課題が発生していた。
【００１３】
本発明は、上述した従来技術における問題点を解消し、課題を解決するためになされたものであり、光伝送装置の内部において監視ユニットとトランスポンダユニットとの間の通信を効率化し、優先度の高い通信における遅延を防止する光伝送装置および光伝送装置の管理方法を提供することを目的とする。
【課題を解決するための手段】
【００１４】
開示の態様は、第１応答要求と第２応答要求とを送信する監視ユニットと、自ユニット以外のトランスポンダユニットから、前記第１応答要求に対する第１応答を受信し、前記受信した第１応答を前記監視ユニットに送信する第１トランスポンダユニットと、前記第１トランスポンダユニットから、前記第２応答要求に対する第２応答を受信し、前記受信した第２応答を前記監視ユニットに送信する第２トランスポンダユニットと、を含む複数のトランスポンダユニットと、任意のトランスポンダユニット間で通信可能なメッシュ回線網と、を備え、前記第１応答は、前記第２応答より優先度が高い応答であって、前記第１トランスポンダユニットは、前記監視ユニットから、前記第１応答要求を受信すると、前記第１応答を前記監視ユニットに送信し、前記監視ユニットから前記第２応答要求を受信すると、前記メッシュ回線網を介して、前記第２トランスポンダユニットに前記第２応答を転送する、ことを特徴とする。
【発明の効果】
【００１５】
開示の装置では、メッシュ回線を使用したトランスポンダユニット間の通信経路を利用して、任意のトランスポンダユニットを優先度の高い応答の集約先として設定し、該トランスポンダユニットの情報収集の応答（優先度は低い）を別のトランスポンダユニットに代行させる。こうすることで、光伝送装置の内部において監視ユニットとトランスポンダユニットとの間の通信を効率化し、優先度の高い通信における遅延を防止するという効果を奏する。
【発明を実施するための最良の形態】
【００１６】
以下に添付図面を参照して、本発明に係る光伝送装置の好適な実施例について詳細に説明する。
【実施例１】
【００１７】
図１は、実施例１に係る光伝送装置の概要および構成を説明するための図である。まず、同図を用いて光伝送装置の概要から説明を行う。
【００１８】
光伝送装置１０は、合波器２０と、分波器３０と、複数のトランスポンダユニット５０Ａ１〜５０Ａｎと、を備える。そして、光伝送装置１０は、各部の機能により、図示しない他の光伝送装置とともに光信号の基幹伝送路を形成し、自装置に接続された複数の光送受信器（例えばルータなど）２００Ａ１〜２００Ａｘからの信号を該基幹伝送路に出力したり、該基幹伝送路を通ってきた光信号を取り入れて光送受信器へ送信したりする。
【００１９】
また、光伝送装置１０は、中央監視ユニット４０を備え、自装置に接続された管理装置１００からのアクセスを制御する。
【００２０】
なお、管理装置１００は、光伝送装置１０に対する初期設定、あるいは、運用中における設定変更を行う。該初期設定や設定変更とは、具体的にはトランスポンダユニットを対象としたものであり、管理装置１００は、光伝送装置１０へ設定要求（Provisioning）または制御命令（Control）を送信する。
【００２１】
中央監視ユニット４０は、該設定要求や制御命令を受信し、対象トランスポンダユニットに通知する。トランスポンダユニットでは設定要求または制御命令にかかる処理が行われ、処理の完了通知を受けた中央監視ユニット４０は、管理装置１００に応答を行う。トランスポンダユニットに対するこのような設定や制御のもと、光伝送装置１０の信号処理が行われる。
【００２２】
信号処理の流れについて説明すると、トランスポンダユニット５０Ａ１の信号処理部５３は、例えば、光送受信器２００Ａ１から受信した信号を波長多重用の光信号に変換し、合波器２０に入力する。
【００２３】
そして、合波器２０は、該トランスポンダユニット５０Ａ１からの光信号のほか、各トランスポンダユニットからの光信号を多重化して他の光伝送装置に送信する。
【００２４】
一方、分波器３０は、他の光伝送装置が送信した多重化信号を個々の波長の光信号に分波し、各トランスポンダユニットに入力する。
【００２５】
トランスポンダユニット５０Ａ１の信号処理部５３は、分波器３０から入力された光信号を光送受信器向けの信号に変換し、例えば、光送受信器２００Ａ１に送信する。
【００２６】
ところで、光伝送装置１０では、図２に示すように、中央監視ユニット４０またはトランスポンダユニット５０Ａ１〜５０Ａ８を差し込むための複数のスロットが設けられている。なお、図２では、例えば、光伝送装置１０が現に８つのトランスポンダユニットを実装するものとしている。
【００２７】
ユーザは、各スロットに任意に中央監視ユニット４０やトランスポンダユニット５０Ａ１〜５０Ａ８を差し込むことができる。例えば、トランスポンダユニット５０Ａ１は、スロット番号１のスロット１に実装され、中央監視ユニット４０は、スロット９に実装される。なお、何も差し込まれないスロット１１は、空きスロットとなる。
【００２８】
このような格納部を構成する各スロットは、図示しない配線によって互いに接続されている。さらに、スロットに実装された各トランスポンダユニットは、同じく別スロットに実装された全てのトランスポンダユニットと通信可能になる。以下では、このようにスロットに実装された全てのトランスポンダユニットと相互に通信可能なトランスポンダユニットを、メッシュ構成が可能なトランスポンダユニットと呼称する。もちろん、同スロットに実装された中央監視ユニット４０は、全てのトランスポンダユニットと通信可能である。
【００２９】
例えば、トランスポンダユニット５０Ａ１は、自ユニットと、中央監視ユニット４０やトランスポンダユニット５０Ａ２〜５０Ａ８とを結ぶ図２内の双方向矢印が示すように、各スロットに実装された各ユニットと相互に通信可能である。
【００３０】
以上が光伝送装置の概要であり、以下では、実施例１に係る光伝送装置１０を構成する各部の説明を行う。
【００３１】
中央監視ユニット４０は、光伝送装置１０に対する管理装置１００のアクセスを制御する処理部であり、監視処理部４１と、転送経路設定部４２と、転送経路テーブル４３と、を備える。
【００３２】
監視処理部４１は、光伝送装置１０に対する設定要求または制御命令を管理装置１００から受け付け、設定や制御の対象であるトランスポンダユニットに該設定要求または制御命令を通知する。その後、対象トランスポンダユニットからはかかる設定や制御に基づく処理が完了したことを示す応答が返ってくるので、監視処理部４１は、管理装置１００に対し、光伝送装置１０としての応答を返す。
【００３３】
また、監視処理部４１は、定期的に各トランスポンダユニットに対する情報収集を行う。監視処理部４１は、情報収集の対象であるトランスポンダユニットに情報収集要求を通知する。該対象トランスポンダユニットからはかかる情報収集要求に基づく所定のデータが送信されるので、監視処理部４１は、データを受け取り、管理装置１００に送信する。
【００３４】
転送経路テーブル４３は、後述する転送経路設定部４２の処理中に情報が格納されるテーブルである。具体的には、図３に示すように、転送経路テーブル４３には、スロットのスロット番号（例えば、図２で示したスロットならば、「スロット」に付与された数字がスロット番号である）が予め設けられ、該スロット番号に対応付けられるように、設定要求または制御命令応答先スロット番号と情報収集要求応答先スロット番号の対応関係が格納される。なお、設定要求または制御命令応答先スロット番号とは、設定要求または制御命令応答の集約先であるトランスポンダユニットが実装されているスロットのスロット番号であり、情報収集要求応答先スロット番号とは、情報収集要求の応答先であるトランスポンダユニットが実装されているスロットのスロット番号である。
【００３５】
転送経路設定部４２は、各トランスポンダユニットの監視応答転送処理部５１ａによる転送経路を設定する。転送経路設定部４２の処理動作については、図４のフローチャートを用いて説明する。なお、図４は、転送経路設定部４２の処理動作を説明するためのフローチャートであり、同図に示す処理フローは、光伝送装置１０の電源投入時に実行される。
【００３６】
まず、転送経路設定部４２は、メッシュ構成可能なトランスポンダユニットが２枚以上あることを認識すると（ステップＳ１１０肯定）、設定要求または制御命令応答を集約するトランスポンダユニットを設定する（ステップＳ１２０）。
【００３７】
なお、集約先のトランスポンダユニットの決め方としては、例えば、スロット番号が最も若いスロットに実装されたトランスポンダユニットを、集約先のトランスポンダユニットとして決定するようにしてもよい。例えば、図２に示すようにトランスポンダユニット５０Ａ１〜５０Ａ８が実装された場合には、スロット番号が最も若いスロット１に実装されたトランスポンダユニット５０Ａ１が集約先として決定される。
【００３８】
そして、転送経路設定部４２は、転送経路テーブル４３内で、メッシュ構成可能なトランスポンダユニットが実装されたスロットのスロット番号に対応する設定要求または制御命令応答先スロット番号に集約トランスポンダユニットが実装されたスロットのスロット番号を格納する（ステップＳ１３０）。
【００３９】
ここで、図３に戻って、スロット番号「９」および「１１」を除く各スロット番号に対応する設定要求または制御命令応答先スロット番号には、トランスポンダユニット５０Ａ１が実装されたスロット１のスロット番号「１」が格納されている。これは、ステップＳ１２０の具体例として、図２に示すトランスポンダユニット５０Ａ１〜５０Ａ８のうち、トランスポンダユニット５０Ａ１が集約先として決定された場合の転送経路テーブル４３を示している。
【００４０】
処理動作の説明に戻って、転送経路設定部４２は、次に、集約トランスポンダユニットの情報収集要求応答を代行するトランスポンダユニットを設定する（ステップＳ１４０）。
【００４１】
なお、代行するトランスポンダユニットの決め方としては、例えば、スロット番号が次に若いスロットに実装されたトランスポンダユニットを、代行トランスポンダユニットとして決定するようにしてもよい。例えば、図２に示すようにトランスポンダユニット５０Ａ１〜５０Ａ８が実装された場合には、トランスポンダユニット５０Ａ２が代行トランスポンダユニットとして決定される。
【００４２】
そして、転送経路設定部４２は、転送経路テーブル４３内で、集約トランスポンダユニットが実装されたスロットのスロット番号に対応する情報収集要求応答先スロット番号には、代行トランスポンダユニットが実装されたスロットのスロット番号を格納し、他のトランスポンダユニットが実装されたスロットのスロット番号に対応する情報収集要求応答先スロット番号には、予め設けられたスロット番号と同一のスロット番号を格納する（ステップＳ１５０）。
【００４３】
ここで、図３に戻って、スロット番号「１」に対応する情報収集要求応答先スロット番号には、トランスポンダユニット５０Ａ２が実装されたスロット３のスロット番号「３」が格納され、他のスロット番号「９」および「１１」を除く各スロット番号に対応する情報収集要求応答先スロット番号には、スロット番号と同じ数字が格納されている。これは、ステップＳ１４０の具体例として、図２に示すトランスポンダユニット５０Ａ１〜５０Ａ８のうち、トランスポンダユニット５０Ａ２が代行トランスポンダユニットとして決定された場合の転送経路テーブル４３を示している。
【００４４】
処理動作の説明に戻って、転送経路設定部４２は、最も若いスロット番号のスロットに実装されたトランスポンダユニットに設定要求または制御命令応答先スロット番号および情報収集要求応答先スロット番号を送信する（ステップＳ１６０）。
【００４５】
例えば、図２に示すようにトランスポンダユニット５０Ａ１〜５０Ａ８が実装され、転送経路テーブル４３に図３に示すような情報が格納された場合を説明する。転送経路設定部４２は、スロット１に実装されたトランスポンダユニット５０Ａ１に設定要求または制御命令応答先スロット番号「１」および情報収集要求応答先スロット番号「３」を送信する。
【００４６】
処理動作の説明に戻って、転送経路設定部４２は、送信先のトランスポンダユニットから受信した旨の応答があると（ステップＳ１７０肯定）、全てのトランスポンダユニットに設定要求または制御命令応答先スロット番号および情報収集要求応答先スロット番号を送信したかを確認し（ステップＳ１８０）、送信していなければ（ステップＳ１８０否定）、次に若いスロット番号のスロットに実装されたトランスポンダユニットに設定要求または制御命令応答先スロット番号および情報収集要求応答先スロット番号を送信する（ステップＳ１９０）。
【００４７】
全てのトランスポンダユニットに対して各スロット番号の送信が終了すると（ステップＳ１８０肯定）、転送経路設定部４２は、処理を終了する。
【００４８】
次に、トランスポンダユニット５０Ａ１〜５０Ａｎの説明を行う。なお、複数のトランスポンダユニットを代表してトランスポンダユニット５０Ａ１の説明を行う。
【００４９】
トランスポンダユニット５０Ａ１は、主制御部５１と、転送経路テーブル５２と、信号処理部５３と、を備える。なお、光伝送装置１０の概要で言及した信号処理部５３については説明を省略する。
【００５０】
主制御部５１は、トランスポンダユニット５０Ａ１を全体制御する処理部であり、特に本発明に密接に関連するものとしては、監視応答転送処理部５１ａを備える。
【００５１】
監視応答転送処理部５１ａは、中央監視ユニット４０の監視処理部４１からの出力または転送経路設定部４２からの出力を受け取り、それぞれに応じた処理を行う。
【００５２】
まず、監視応答転送処理部５１ａは、転送経路設定部４２から設定要求または制御命令応答先スロット番号および情報収集要求応答先スロット番号を受け取ると、転送経路テーブル５２に格納する。
【００５３】
ところで、転送経路設定部４２の処理動作を説明した際の具体例として、該トランスポンダユニット５０Ａ１には、設定要求または制御命令応答先スロット番号「１」および情報収集要求応答先スロット番号「３」が送信された。
【００５４】
したがって、例えば、図５に示すように、転送経路テーブル５２には、設定要求または制御命令応答先スロット番号「１」および情報収集要求応答先スロット番号「３」が格納される。なお、図示しないトランスポンダユニット５０Ａ２の転送経路テーブルには、例えば、図６に示すように、設定要求または制御命令応答先スロット番号「１」および情報収集要求応答先スロット番号「３」が格納され、図示しないトランスポンダユニット５０Ａ３の転送経路テーブルには、例えば、図７に示すように、設定要求または制御命令応答先スロット番号「１」および情報収集要求応答先スロット番号「５」が格納される。
【００５５】
次に、監視応答転送処理部５１ａが監視処理部４１から設定要求、制御命令または情報収集要求を受け取った場合の処理動作について、図８のフローチャートを用いて説明する。なお、図８は、監視応答転送処理部５１ａの処理動作を説明するためのフローチャートであり、同図に示す処理フローは、光伝送装置１０の作動中繰り返し実行される。
【００５６】
監視応答転送処理部５１ａは、監視処理部４１から設定要求または制御命令を受け取ると（ステップＳ２００肯定）、設定要求または制御命令に基づく処理を行って処理が完了したことを通知するデータを生成する（ステップＳ２２０）。なお、監視処理部４１は、このデータの受信を、トランスポンダユニットからの応答と判断する。
【００５７】
一方、監視応答転送処理部５１ａは、監視処理部４１から情報収集要求を受け取ると（ステップＳ２１０肯定）、情報収集を行って所定のデータを生成する（ステップＳ２３０）。
【００５８】
各データのうちいずれかを生成すると（ステップＳ２２０またはステップＳ２３０）、監視応答転送処理部５１ａは、転送経路テーブル５２を参照する（ステップＳ２４０）。
【００５９】
そして、監視応答転送処理部５１ａは、送信対象のデータの送信先に自ユニットが実装されたスロットのスロット番号が設定されている場合には（ステップＳ２５０肯定）、直接、中央監視ユニット４０にデータを送信する（ステップＳ２７０）。
【００６０】
一方、監視応答転送処理部５１ａは、送信先に他のスロット番号が設定されている場合には（ステップＳ２５０否定）、設定されたスロット番号のスロットに実装されたトランスポンダユニットにデータを送信し（ステップＳ２６０）、処理を終了する。
【００６１】
ところで、上述したように転送経路を設定すると、集約トランスポンダユニットや代行トランスポンダユニットとして決定されたトランスポンダユニットには、他のトランスポンダユニットからデータが転送されることになる。その場合には、かかるトランスポンダユニットの監視応答転送処理部は、受け取ったデータを中央監視ユニット４０にさらに転送する。
【００６２】
以上が光伝送装置１０を構成する各部の説明である。以下では、図２に示した各ユニットのうち、中央監視ユニット４０およびトランスポンダユニット５０Ａ１〜５０Ａ３を選択し、該４つのユニットにおいて、従来行われた通信と今回行われる通信とを比較する。
【００６３】
図９に示すように、各ユニットは、全ユニット同士で相互に通信可能な状態となっている。従来、各トランスポンダユニットは、中央監視ユニット４０が送信した設定要求または制御命令を受け取った場合には（Ｃ１〜Ｃ３）、受け取った経路と同じ経路で応答を返していた（Ｒ１〜Ｒ３）。なお、図９は、従来の設定要求または制御命令応答の経路を説明するための図である。
【００６４】
次に、図１０を用いて、時間の流れに沿って各ユニットが行う通信を説明する。なお、各部から下方向へ伸びる線が時間軸であり、時間は上から下へ経過する。
【００６５】
まず、管理装置１００は、矢印（Ｃ１０）の始点が示す時間に、中央監視ユニット４０へ、トランスポンダユニット５０Ａ１に対する設定要求または制御命令の送信を開始する。
【００６６】
そして、中央監視ユニット４０は、該矢印（Ｃ１０）の終点が示す時間に、管理装置１００からの設定要求または制御命令の受信を終了する。
【００６７】
矢印を追っていくと、間もなく、トランスポンダユニット５０Ａ１は、中央監視ユニット４０を介して該設定要求または制御命令を受け取る。そして、設定要求または制御命令に基づく処理を行った後、トランスポンダユニット５０Ａ１は、矢印（Ｒ１０）の始点が示す時間に、応答の送信を開始する。
【００６８】
中央監視ユニット４０は、該矢印（Ｒ１０）の終点が示す時間に、応答の受信を終了し、最後に、管理装置１００は、矢印（Ｒ１１）の終点が示す時間に、中央監視ユニット４０を介して該応答を受け取る。
【００６９】
その後、管理装置１００は、トランスポンダユニット５０Ａ２に対する設定要求または制御命令を中央監視ユニット４０へ送信するが、以降の各部の処理については同様であるので説明を省略する。
【００７０】
図１１は、従来の情報収集要求応答の経路を説明するための図である。同図に示すように、従来、各トランスポンダユニットは、中央監視ユニット４０が送信した情報収集要求を受け取った場合には（Ｃ２０〜Ｃ２２）、受け取った経路と同じ経路で応答を返していた（Ｒ２０〜Ｒ２２）。
【００７１】
同様に、図１２を用いて、時間の流れに沿って各ユニットが行う通信を説明する。
【００７２】
まず、中央監視ユニット４０は、点線矢印（Ｃ３０）の始点が示す時間に、トランスポンダユニット５０Ａ１に対して情報収集要求の送信を開始する。
【００７３】
そして、トランスポンダユニット５０Ａ１は、該点線矢印（Ｃ３０）の終点が示す時間に、中央監視ユニット４０からの情報収集要求の受信を終了する。
【００７４】
情報収集要求を受信したトランスポンダユニット５０Ａ１は、情報収集を行って所定のデータを生成した後、点線矢印（Ｒ３０）の始点が示す時間に、データの送信を開始する。
【００７５】
そして、中央監視ユニット４０は、該点線矢印（Ｒ３０）の終点が示す時間に、データの受信を終了する。
【００７６】
ここで、該点線矢印（Ｒ３０）は、他の矢印には見られない傾きを持っている。つまり、情報収集要求に応じて生成されたデータの容量が大きく、トランスポンダユニット５０Ａ１は、該点線矢印（Ｒ３０）の始点から、トランスポンダユニット５０Ａ１の時間軸と該点線矢印（Ｒ３０）の終点から時間軸への垂線との交点までの間、中央監視ユニット４０に対してデータを送り続ける。その結果、トランスポンダユニット５０Ａ１と中央監視ユニット４０間の通信経路が該データに占有され、設定要求または制御命令応答の遅延が起こっていた。
【００７７】
図１３は、設定要求または制御命令応答が遅延する状況を説明するための図である。同図に示すように、中央監視ユニット４０からの情報収集要求を受信したトランスポンダユニット５０Ａ１は、情報収集を行って所定のデータを生成した後、点線矢印（Ｒ４０）の始点が示す時間に、データの送信を開始する。
【００７８】
データの送信中、トランスポンダユニット５０Ａ１は、実線矢印（Ｃ４０）の終点が示す時間に、設定要求または制御命令の受信を終了する。そして、トランスポンダユニット５０Ａ１は、該設定要求または制御命令に基づく処理を行う。
【００７９】
ところが、トランスポンダユニット５０Ａ１は、該実線矢印（Ｃ４０）の終点の下方の点が示す時間に応答の送信を開始できるのに、自ユニットと中央監視ユニット４０間の通信経路が情報収集要求に応じて送信中のデータに占有されているので、応答を送信できない。
【００８０】
したがって、トランスポンダユニット５０Ａ１は、該データの送信終了後、実線矢印（Ｒ４１）の始点が示す時間に、応答の送信を開始せざるを得ない。
【００８１】
このように、従来の通信には設定要求または制御命令に対するトランスポンダユニットの応答遅延が生じていた。
【００８２】
そこで今回は、図１４に示すように、トランスポンダユニット５０Ａ２およびトランスポンダユニット５０Ａ３は、中央監視ユニット４０が送信した設定要求または制御命令を受け取った場合には（Ｃ５０およびＣ５１）、トランスポンダユニット５０Ａ１を経由する経路で応答を返す（Ｒ５０およびＲ５１）。なお、トランスポンダユニット５０Ａ１は、中央監視ユニット４０が送信した設定要求または制御命令を受け取った場合には（Ｃ５２）、従来どおり、受け取った経路と同じ経路で応答を返す（Ｒ５２）。
【００８３】
また、図１５に示すように、トランスポンダユニット５０Ａ１は、中央監視ユニット４０が送信した情報収集要求を受け取った場合には（Ｃ６０）、トランスポンダユニット５０Ａ２を経由する経路で応答を返す（Ｒ６０）。なお、トランスポンダユニット５０Ａ２およびトランスポンダユニット５０Ａ３は、中央監視ユニット４０が送信した情報収集要求を受け取った場合には（Ｃ６１およびＣ６２）、従来どおり、受け取った経路と同じ経路で応答を返す（Ｒ６１およびＲ６２）。
【００８４】
同じく図１６を用いて、時間の流れに沿って今回の各ユニットが行う通信を説明する。
【００８５】
同図に示すように、中央監視ユニット４０からの情報収集要求を受信したトランスポンダユニット５０Ａ１は、情報収集を行って所定のデータを生成した後、点線矢印（Ｒ７０）の始点が示す時間に、データの送信を、トランスポンダユニット５０Ａ２に対して開始する。
【００８６】
トランスポンダユニット５０Ａ２は、点線矢印（Ｒ７１）の始点が示す時間に、中央監視ユニット４０に対し、該データの転送を開始する。
【００８７】
ここで、トランスポンダユニット５０Ａ１は、データの送信中、実線矢印（Ｃ７０）の終点が示す時間に、設定要求または制御命令の受信を終了する。今回は、自ユニットと中央監視ユニット４０間の通信経路が空いているので、トランスポンダユニット５０Ａ１は、設定要求または制御命令に基づく処理を行った後、実線矢印（Ｒ７２）の始点が示す時間に、直ちに、応答の送信を開始することができる。
【００８８】
また、中央監視ユニット４０からの情報収集要求を受信したトランスポンダユニット５０Ａ２は、情報収集を行って所定のデータを生成した後、点線矢印（Ｒ７３）の始点が示す時間に、中央監視ユニット４０に対してデータの送信を開始する。
【００８９】
ここで、トランスポンダユニット５０Ａ２は、データの送信中、実線矢印（Ｃ７１）の終点が示す時間に、設定要求または制御命令の受信を終了する。
【００９０】
自ユニットと中央監視ユニット４０間の通信経路はデータの送信に使用しているので、トランスポンダユニット５０Ａ２は、設定要求または制御命令に基づく処理を行った後、実線矢印（Ｒ７４）の始点が示す時間に、応答の送信を、トランスポンダユニット５０Ａ１に対して開始する。
【００９１】
トランスポンダユニット５０Ａ２から応答を受け取ったトランスポンダユニット５０Ａ１は、中央監視ユニット４０に該応答を転送する。
【００９２】
図１３と図１６を比較すれば、管理装置１００が設定要求または制御命令を送信してから応答を受け取るまでに図１３でかかった時間よりも図１６でかかった時間の方が短くなっているのは明らかである。
【００９３】
以上、４つのユニットを選択し、従来行われた通信と今回行われる通信とを比較して説明を行った。
【００９４】
ところで、光伝送装置１０の作動中、トランスポンダユニットを抜き差しする必要もでてくる。そこで、以下では、トランスポンダユニットを追加したり、削除したりする場合について説明を行う。なお、図２や図４を用いた説明で挙げた具体例と同様、トランスポンダユニット５０Ａ１〜５０Ａ８が各スロットに実装され、トランスポンダユニット５０Ａ１が集約トランスポンダユニットとして決定され、かつ、トランスポンダユニット５０Ａ２が代行トランスポンダユニットとして決定された上で説明を行う。
【００９５】
まず、トランスポンダユニットをスロットに追加する場合について説明する。図２に示したスロットのうち、スロット１１は、何も差し込まれない空きスロットであった。
【００９６】
ここで、新たにトランスポンダユニットが差し込まれると、転送経路設定部４２は、図１７に示すように転送経路テーブル４３を更新する。つまり、スロット番号「１１」に対応する設定要求または制御命令応答先スロット番号には「１」が格納され、情報収集要求応答先スロット番号には「１１」が格納される。
【００９７】
そして、転送経路設定部４２は、該トランスポンダユニットに設定要求または制御命令応答先スロット番号「１」および情報収集要求応答先スロット番号「１１」を送信する。
【００９８】
次に、トランスポンダユニットをスロットから削除する場合について説明する。図２に示したスロットのうち、例えば、すでに実装されているトランスポンダユニット５０Ａ３を抜かれた場合には、転送経路設定部４２は、図１８に示すように転送経路テーブル４３を更新する。つまり、図１８の「Ａ」では、スロット番号「５」に対応する設定要求または制御命令応答先スロット番号には「１」が格納され、情報収集要求応答先スロット番号には「５」が格納されているが、更新後には、図１８の「Ｂ」に示すように、いずれのスロット番号も削除される。なお、トランスポンダユニット５０Ａ３は、集約トランスポンダユニットでも、代行トランスポンダユニットでもないため、転送経路テーブル４３にこれ以上の更新はない。
【００９９】
また、図２に示したスロットのうち、例えば、すでに実装されているトランスポンダユニット５０Ａ１を抜かれた場合には、転送経路設定部４２は、図１９に示すように転送経路テーブル４３を更新する。つまり、図１９の「Ａ」では、スロット番号「１」に対応する設定要求または制御命令応答先スロット番号には「１」が格納され、情報収集要求応答先スロット番号には「３」が格納されているが、更新後には、図１９の「Ｂ」に示すように、いずれのスロット番号も削除される。なお、トランスポンダユニット５０Ａ１は、集約トランスポンダユニットであるため、転送経路テーブル４３にさらなる更新が行われる。
【０１００】
転送経路設定部４２は、トランスポンダユニット５０Ａ１が集約トランスポンダユニットであったため、例えば、スロット番号がスロット１の次に若いスロット３に実装されたトランスポンダユニット５０Ａ２を集約トランスポンダユニットに設定する。そして、転送経路設定部４２は、転送経路テーブル４３内で、メッシュ構成可能なトランスポンダユニットが実装されたスロットのスロット番号に対応する設定要求または制御命令応答先スロット番号を、「１」から、トランスポンダユニット５０Ａ２が実装されているスロットのスロット番号「３」に更新する。
【０１０１】
そして、転送経路設定部４２は、例えば、スロット番号がスロット３の次に若いスロット５に実装されたトランスポンダユニット５０Ａ３を、集約トランスポンダユニットの情報収集要求応答を代行するトランスポンダユニットに設定する。その結果、転送経路設定部４２は、転送経路テーブル４３内のスロット番号「３」に対応する情報収集要求応答先スロット番号を「３」から「５」へ更新する。
【０１０２】
また、図２に示したスロットのうち、例えば、すでに実装されているトランスポンダユニット５０Ａ２を抜かれた場合には、転送経路設定部４２は、図２０に示すように転送経路テーブル４３を更新する。つまり、図２０の「Ａ」では、スロット番号「３」に対応する設定要求または制御命令応答先スロット番号には「１」が格納され、情報収集要求応答先スロット番号には「３」が格納されているが、更新後には、図２０の「Ｂ」に示すように、いずれのスロット番号も削除される。なお、トランスポンダユニット５０Ａ２は、代行トランスポンダユニットであるため、転送経路テーブル４３にさらなる更新が行われる。
【０１０３】
転送経路設定部４２は、トランスポンダユニット５０Ａ２が代行トランスポンダユニットであったため、例えば、スロット番号がスロット３の次に若いスロット５に実装されたトランスポンダユニット５０Ａ３を代行トランスポンダユニットに設定する。そして、転送経路設定部４２は、転送経路テーブル４３内のスロット番号「１」に対応する情報収集要求応答先スロット番号を「３」から「５」へ更新する。
【０１０４】
なお、トランスポンダユニットの動作異常を転送経路設定部４２が検知し、該トランスポンダユニットを抜かれる前に上述した処理を行うようにしてもよい。
【０１０５】
以上、トランスポンダユニットを追加したり、削除したりする場合について説明を行った。最後に、設定要求と制御命令とを区別し、設定要求に対する応答の集約先となるトランスポンダユニットと、制御命令に対する応答の集約先となるトランスポンダユニットとを別にして設定する変形例について説明を行う。なお、従来行われた通信と今回行う通信との比較説明を行ったときと同様、図２に示した各ユニットのうち、中央監視ユニット４０およびトランスポンダユニット５０Ａ１〜５０Ａ３を選択し、該４つのユニットのみを対象に説明を行う。
【０１０６】
まず、図１４に戻って、同図では、トランスポンダユニット５０Ａ２およびトランスポンダユニット５０Ａ３は、中央監視ユニット４０が送信した設定要求または制御命令を受け取った場合には（Ｃ５０およびＣ５１）、トランスポンダユニット５０Ａ１を経由する経路で応答を返していた（Ｒ５０およびＲ５１）。
【０１０７】
同図を用いて変形例を説明すると、トランスポンダユニット５０Ａ２およびトランスポンダユニット５０Ａ３は、設定要求を受け取った場合にのみ（Ｃ５０およびＣ５１）、トランスポンダユニット５０Ａ１を経由する経路で応答を返す（Ｒ５０およびＲ５１）。なお、トランスポンダユニット５０Ａ１は、設定要求を受け取った場合には（Ｃ５２）、直接中央監視ユニット４０に応答を返す（Ｒ５２）。
【０１０８】
そして、図２１に示すように、トランスポンダユニット５０Ａ１およびトランスポンダユニット５０Ａ３は、制御命令を受け取った場合には（Ｃ８０およびＣ８１）、トランスポンダユニット５０Ａ２を経由する経路で応答を返す（Ｒ８０およびＲ８１）。なお、トランスポンダユニット５０Ａ２は、制御命令を受け取った場合には（Ｃ８２）、直接中央監視ユニット４０に応答を返す（Ｒ８２）。
【０１０９】
このように、トランスポンダユニット５０Ａ１と中央監視ユニット４０間の通信経路を設定要求応答に使用し、トランスポンダユニット５０Ａ２と中央監視ユニット４０間の通信経路を制御命令応答に使用するようにしてもよい。そして、その場合には、各トランスポンダユニットが中央監視ユニット４０に送信する情報収集要求応答を、トランスポンダユニット５０Ａ３が代行する。
【０１１０】
つまり、図２２に示すように、トランスポンダユニット５０Ａ１は、中央監視ユニット４０が送信した情報収集要求を受け取った場合には（Ｃ９０）、トランスポンダユニット５０Ａ３を経由する経路で応答を返す（Ｒ９０）。また、トランスポンダユニット５０Ａ２は、中央監視ユニット４０が送信した情報収集要求を受け取った場合には（Ｃ９１）、トランスポンダユニット５０Ａ３を経由する経路で応答を返す（Ｒ９１）。なお、トランスポンダユニット５０Ａ３は、情報収集要求を受け取った場合には（Ｃ９２）、直接中央監視ユニット４０に応答を返す（Ｒ９２）。
【０１１１】
［実施例１の効果］
上記したように、実施例１によれば、メッシュ回線を使用したトランスポンダユニット間の通信経路を利用して、任意のトランスポンダユニットを優先度の高い応答の集約先として設定し、該トランスポンダユニットの情報収集の応答（優先度は低い）を別のトランスポンダユニットに代行させる。こうすることで、光伝送装置の内部において監視ユニットとトランスポンダユニットとの間の通信を効率化し、優先度の高い通信における遅延を防止することが可能となる。
【０１１２】
また、実施例１によれば、転送経路の設定が自動で行われるので、管理者の手間を省くことが可能となる。
【０１１３】
また、実施例１によれば、トランスポンダユニットが追加されたり、削除されたり、あるいは、トランスポンダユニットに動作異常が起こった場合でも、転送経路の再設定が自動で行われるので、管理者の手間を省くことが可能となる。
【０１１４】
また、実施例１によれば、複数の応答を優先度の高い応答として設定することが可能となる。
【実施例２】
【０１１５】
実施例１では、中央監視ユニット４０が集約トランスポンダユニットや代行トランスポンダユニットを設定するものとして説明を行ったが、実施例２では、複数のトランスポンダユニットのうちいずれかが代表となり、集約トランスポンダユニットや代行トランスポンダユニットを設定する場合を説明する。
【０１１６】
図２３は、実施例２に係る光伝送装置の概要および構成を説明するための図である。以下では、実施例２に係る光伝送装置１０を構成する各部の説明を行う。なお、処理や機能の説明が実施例１と同じとなる各部の説明は省略する。また、以下では、複数のトランスポンダユニットを代表してトランスポンダユニット５０Ａ１の説明を行うが、各部の処理や機能については全トランスポンダユニットに共通する。
【０１１７】
まず、転送経路テーブル５２は、実施例１における中央監視ユニット４０の転送経路テーブル４３と同様の情報が格納されるテーブルである。つまり、転送経路テーブル５２は、図３で示したように、光伝送装置１０に設けられたスロットのスロット番号が予め設けられ、該スロット番号に対応付けられるように、設定要求または制御命令応答先スロット番号と情報収集要求応答先スロット番号の対応関係が格納される。なお、転送経路テーブル５２には、後述する転送経路設定部５１ｂの処理中に情報が格納される。
【０１１８】
主制御部５１は、監視応答転送処理部５１ａのほか、実施例１とは異なり、転送経路設定部５１ｂを備える。
【０１１９】
転送経路設定部５１ｂは、光伝送装置１０の電源が投入されると、各スロットにおけるトランスポンダユニットの実装状況を確認する。
【０１２０】
図２を用いて具体的に説明すると、転送経路設定部５１ｂは、トランスポンダユニット５０Ａ２〜トランスポンダユニット５０Ａ８との通信が可能であれば、スロット３、５、７、１３、１５、１７、１９にメッシュ構成可能なトランスポンダユニットが実装されていることを認識する。他のトランスポンダユニットの転送経路設定部も同様の処理を行う。
【０１２１】
以下の処理については、自ユニットが、スロット番号が最も若いスロットに実装されていることを認識した転送経路設定部のみが行う処理である。
【０１２２】
図２に戻って、転送経路設定部５１ｂは、スロット番号が最も若いスロット１に自ユニットが実装されているので、自ユニットを集約先のトランスポンダユニットとして決定する。また、転送経路設定部５１ｂは、転送経路テーブル５２内で、メッシュ構成可能なトランスポンダユニットが実装されたスロットのスロット番号に対応する設定要求または制御命令応答先スロット番号に、自ユニットが実装されたスロットのスロット番号「１」を格納する。
【０１２３】
さらに、転送経路設定部５１ｂは、スロット番号が次に若いスロット３に実装されたトランスポンダユニット５０Ａ２を自ユニットの情報収集要求応答を代行するトランスポンダユニットとして決定する。また、転送経路設定部５１ｂは、転送経路テーブル５２内で、自ユニットが実装されたスロットのスロット番号に対応する情報収集要求応答先スロット番号には「３」を格納し、他のトランスポンダユニットが実装されたスロットのスロット番号に対応する情報収集要求応答先スロット番号には、予め設けられたスロット番号と同一のスロット番号を格納する。
【０１２４】
そして、転送経路設定部５１ｂは、転送経路テーブル５２が記憶する情報を他のトランスポンダユニットに送信する。他のトランスポンダユニットの転送経路設定部は、受信した情報を転送経路テーブルに格納する。
【０１２５】
このような転送経路設定部５１ｂの設定に基づいて、監視応答転送処理部５１ａは、中央監視ユニット４１から送信される設定要求、制御命令または情報収集要求に対する応答を行う。なお、転送経路テーブル５２を参照する際は、監視応答転送処理部５１ａは、自ユニットが実装されたスロットのスロット番号に対応する情報を参照することになる。
【０１２６】
ところで、実施例１と同様、光伝送装置１０の作動中、トランスポンダユニットが抜き差しされ、トランスポンダユニットの構成に変化が生じる場合がある。その場合でも、スロット番号が最も若いスロットに実装されたトランスポンダユニットが代表となり、実施例１で説明した転送経路設定部４２の処理と同じように転送経路テーブルの更新を行い、更新後の情報を他のトランスポンダユニットに送信すればよい。
【０１２７】
［実施例２の効果］
上記したように、実施例２によれば、トランスポンダユニット自体が転送経路の設定や再設定を自動で行うので、中央監視ユニットの処理負担を軽減することが可能となる。
【産業上の利用可能性】
【０１２８】
以上のように、本発明に係る光伝送装置および光伝送装置の管理方法は、光伝送装置の運用に必要な通信であって、特に、装置内において監視ユニットとトランスポンダユニットとの間の通信を効率化し、優先度の高い通信における遅延を防止することに適する。
【図面の簡単な説明】
【０１２９】
【図１】実施例１に係る光伝送装置の概要および構成を説明するための図である。
【図２】中央監視ユニットおよびトランスポンダユニットがスロットに差し込まれた状態を示す図である。
【図３】中央監視ユニットが備える転送経路テーブルに記憶される情報の例を示す図である。
【図４】転送経路設定部の処理動作を説明するためのフローチャートである。
【図５】トランスポンダユニット５０Ａ１が備える転送経路テーブルに記憶される情報の例を示す図である。
【図６】トランスポンダユニット５０Ａ２が備える転送経路テーブルに記憶される情報の例を示す図である。
【図７】トランスポンダユニット５０Ａ３が備える転送経路テーブルに記憶される情報の例を示す図である。
【図８】監視応答転送処理部の処理動作を説明するためのフローチャートである。
【図９】従来の設定要求／制御命令応答の経路を説明するための図である。
【図１０】ある時間内に行われた従来の設定要求／制御命令応答を説明するための図である。
【図１１】従来の情報収集要求応答の経路を説明するための図である。
【図１２】ある時間内に行われた従来の情報収集要求応答を説明するための図である。
【図１３】設定要求／制御命令応答が遅延する状況を説明するための図である。
【図１４】今回の設定要求／制御命令応答の経路を説明するための図である。
【図１５】今回の情報収集要求応答の経路を説明するための図である。
【図１６】設定要求／制御命令応答の遅延が生じないことを説明するための図である。
【図１７】トランスポンダユニットの追加によって行われる再設定を説明するための図である。
【図１８】トランスポンダユニットの削除または動作異常によって行われる再設定を説明するための図である。
【図１９】トランスポンダユニットの削除または動作異常によって行われる再設定を説明するための図である。
【図２０】トランスポンダユニットの削除または動作異常によって行われる再設定を説明するための図である。
【図２１】制御命令応答の別経路を説明するための図である。
【図２２】情報収集要求応答の別経路を説明するための図である。
【図２３】実施例２に係る光伝送装置の概要および構成を説明するための図である。
【符号の説明】
【０１３０】
１０  光伝送装置
２０  合波器
３０  分波器
４０  中央監視ユニット
４１  監視処理部
４２  転送経路設定部
４３  転送経路テーブル
５０Ａ１〜５０Ａｎ  トランスポンダユニット
５１  主制御部
５１ａ  監視応答転送処理部
５１ｂ  転送経路設定部
５２  転送経路テーブル
５３  信号処理部
１００  管理装置
２００Ａ１〜Ａｘ  光送受信器
【図１】
0005067153.tif 000002
【図２】
0005067153.tif 000003
【図３】
0005067153.tif 000004
【図４】
0005067153.tif 000005
【図５】
0005067153.tif 000006
【図６】
0005067153.tif 000007
【図７】
0005067153.tif 000008
【図８】
0005067153.tif 000009
【図９】
0005067153.tif 000010
【図１０】
0005067153.tif 000011
【図１１】
0005067153.tif 000012
【図１２】
0005067153.tif 000013
【図１３】
0005067153.tif 000014
【図１４】
0005067153.tif 000015
【図１５】
0005067153.tif 000016
【図１６】
0005067153.tif 000017
【図１７】
0005067153.tif 000018
【図１８】
0005067153.tif 000019
【図１９】
0005067153.tif 000020
【図２０】
0005067153.tif 000021
【図２１】
0005067153.tif 000022
【図２２】
0005067153.tif 000023
【図２３】
0005067153.tif 000024